(57)【要約】【課題】時計表示部を制御する制御回路を設け時計の寿命を延ばす電波修正時計を提供する。【解決手段】内部時計により計時時刻を計時し、標準時刻電波信号に応じて時刻修正を行う電池駆動の電波修正時計であって、内部時計が計時する計時時刻に基づいて時刻表示を行う時計表示手段２０１と、表示手段の表示を切り換える表示モード設定回路２０２と、モード設定回路から供給される信号により時刻表示手段の表示モードを判定する表示モード判別回路１４ｃと、モード判別回路から出力される制御信号に応じて時刻表示手段を制御し、該時刻表示手段の電流を可変する制御手段とを有し、表示モードに応じて消費電流を制御する。【選択図】  図１
2006003308.tif 000002
【特許請求の範囲】
【請求項１】
内部時計により計時時刻を計時し、標準時刻電波信号に応じて時刻修正を行う電波修正時計であって、
前記内部時計が計時する計時時刻に基づいて時刻表示を行う時刻表示手段と、
制御信号に応じた電力を前記時刻表示手段に供給する電力供給手段と、
前記表示手段の表示を切り換えるモード設定回路と、
前記モード設定回路から供給される信号により前記時刻表示手段の表示モードを判定するモード判別回路と、
前記モード判別回路からの判別信号に応じて前記時刻表示手段に電力を供給するための前記制御信号を供給する制御手段と
を有する
電波修正時計。
【請求項２】
前記制御手段は前記時刻表示手段に供給する電力を停止するようにした
請求項１に記載の電波修正時計。
【請求項３】
前記モード設定回路は、前記電波修正時計が流通過程において省電力モードに設定する
請求項１または２記載の電波修正時計。
【請求項４】
前記電波修正時計をアナログ表示またはディジタル表示とする
請求項１から３のいずれかに記載の電波修正時計。
【請求項５】
制御手段は、時刻表示手段を動作させた際、該内部時計の情報に基づいて時刻表示を行う  
請求項１から４のいずれかに記載の電波修正時計。
【請求項６】
内部時計により計時時刻を計時し、標準時刻電波信号に応じて時刻修正を行う電波修正時計であって、
電池と、
前記内部時計が計時する計時時刻に基づいて時刻表示を行う時刻表示手段と、
前記時刻表示手段の表示を切り換える制御信号を外部から供給してモードを設定する表示モード設定回路と、
前記表示モード設定回路から供給される信号により前記時刻表示手段の表示モードを判別するモード判別回路と、
前記モード判別回路からの判別結果に応じて前記内部電池から前記時刻表示手段へ電力を供給する制御信号を発生する制御手段と
を有する
電波修正時計。
【請求項７】
前記制御手段は前記時刻表示手段の表示動作をオンまたはオフさせるようにした
請求項６記載の電波修正時計。
【発明の詳細な説明】
【技術分野】
【０００１】
本発明は、例えば、内部電池で駆動する電波修正時計の表示部をオン・オフさせる表示設定を設け、流通過程で表示部の動作を制御する電波修正時計に関するものである。
【背景技術】
【０００２】
例えば、内部電池や外部電池を設けた電波修正時計など一般に、工場出荷時や流通過程において、電波受信回路と信号処理系回路は動作させ、かつ秒針、分時針などの表示部も駆動したままにしていた。時計の消費電流の内訳は、たとえば、時計表示部が全体の約９０％、電波受信部が４〜５％、マイクロコンピュータなどの信号処理回路が５〜６％である。このように時計表示部を除いた消費電流は１０％程度となっている。そのため電波修正時計を使用する前の流通過程中に、時計表示部で余分な消費電流を消費していた。その結果電池の寿命を短くしていた。
【特許文献１】特開２００２−２２８７７５号公報
【発明の開示】
【発明が解決しようとする課題】
【０００３】
従来の電波修正時計では、例えば電波修正時計を使用する前の流通過程中に、時計表示部で余分な消費電流を消費していた。その結果電池の寿命が短くなっていた。
また、電波時計の動作寿命を延ばすため外部電池を追加すると、内部電池と外部電池を切り換えるための制御回路やスイッチなどが必要であり、構造上複雑になるばかりでなくコストも高くなるという問題点があった。
【０００４】
本発明は、かかる事情に鑑みてなされたものであり、その目的は時計の表示部の動作を制御して、電池の寿命を延ばすことができる電波修正時計を提供することにある。
【課題を解決するための手段】
【０００５】
本発明は、前記目的を達成するために、内部時計により計時時刻を計時し、標準時刻電波信号に応じて時刻修正を行う電波修正時計であって、前記内部時計が計時する計時時刻に基づいて時刻表示を行う時刻表示手段と、制御信号に応じた電力を前記時刻表示手段に供給する電力供給手段と、前記表示手段の表示を切り換えるモード設定回路と、前記モード設定回路から供給される信号により前記時刻表示手段の表示モードを判定するモード判別回路と、前記モード判別回路からの判別信号に応じて前記時刻表示手段に電力を供給するための前記制御信号を供給する制御手段とを有する。
【０００６】
本発明は、内部時計により計時時刻を計時し、標準時刻電波信号に応じて時刻修正を行う電波修正時計であって、内部電池と、前記内部時計が計時する計時時刻に基づいて時刻表示を行う時刻表示手段と、前記時刻表示手段の表示を切り換える制御信号を外部から供給してモードを設定する表示モード設定回路と、前記表示モード設定回路から供給される信号により前記時刻表示手段の表示モードを判別するモード判別回路と、前記モード判別回路からの判別結果に応じて前記内部電池から前記時刻表示手段へ電力を供給する制御信号を発生する制御手段とを有する。
【発明の効果】
【０００７】
時刻表示部を制御する表示モード選択回路を設け、流通過程などの非使用時に時刻表示部の動作を停止することにより、電波修正時計の使用時間を延ばすことができる。
【発明を実施するための最良の形態】
【０００８】
本発明の実施形態に係る電波修正時計は、例えば電源として（内部）電池を有し、時刻表示手段をオン・オフ制御する表示モード設定回路を設け、この設定した表示モードに応じて時刻表示手段を制御する。たとえば、出荷からユーザの使用前または流通過程の期間、表示モードをオフに設定して、その期間の消費電流を減らすことができる。だだしこの期間、時刻表示手段を停止しているが、使用時内部電池により内部時計による計時時刻を計時し、標準時刻電波信号に基づいて内部時計による計時時刻の時刻修正を行う。電波修正時計を展示したりユーザが使用するときは、表示モードをオンに設定して、時刻表示手段を駆動し通常の動作をさせる。本実施形態では１例として、歯車等の指針駆動系を有する電波修正時計を図を参照しながら説明する。
【０００９】
図１は、本発明に係る電波修正時計１０の一実施形態の電気的な機能ブロック図である。図２は、図１に示した電波修正時計１０の構成図である。図３は、図２に示した電波修正時計１０の断面の拡大図である。
【００１０】
本実施形態に係る電波修正時計１０は、図１〜３に示すように、標準電波受信系１１、時刻修正スイッチ１２、発振回路１３、制御回路１４、ドライブ回路１５、報知手段としての発光素子１６、バッファ回路１７、ドライブ回路１８、時計本体１００、秒針用モータ１２１、時分針用モータ１３１、光検出センサ部１４０、手動修正系１５０、電源２００、内部時計１４０１、表示モード設定回路（部）２０２、トランジスタＱ１，Ｑ２、および抵抗素子Ｒ１〜Ｒ２を有する。
【００１１】
標準電波受信系１１は、例えば、受信アンテナ１１ａと、不図示の標準電波送信所から送信された標準時刻情報（時刻コードとも言う）を含む標準電波を受信し、所定の処理を行い、パルス信号Ｓ１１として制御回路１４に出力する長波受信回路１１０Ａを有する。
長波受信回路１１０Ａは、例えば不図示のＲＦアンプ、検波回路、整流回路、および積分回路を有する。
【００１２】
長波受信回路１１０Ａは、異なる複数の周波数を受信するために、例えば詳細には図１に示すように、４０ｋＨｚ受信回路１１１ｒ、６０ｋＨｚ受信回路１１２ｒ、および切換部１１３Ａを有する。
【００１３】
４０ｋＨｚ受信回路１１１ｒは、受信アンテナ１１ａから周波数４０ｋＨｚの標準電波を復調し、受信信号Ｓ１１１を出力する。６０ｋＨｚ受信回路１１２ｒは、受信アンテナ１１ａから周波数６０ｋＨｚの標準電波を復調し、受信信号Ｓ１１２を出力する。
【００１４】
切換部１１３Ａは、制御回路１４からの制御信号（駆動信号）ＣＴＬ１１３に応じて、４０ｋＨｚ受信回路１１１ｒと６０ｋＨｚ受信回路１１２ｒを切換える。
切換部１１３Ａは、例えば図１に示すように、端子１１３ａ、端子１１３ｂ、および端子１１３ｃを有する。
切換部１１３Ａは、制御回路１４から４０ｋＨｚ受信回路１１１ｒに切換えさせる制御信号ＣＴＬ１１３を受信した場合には端子１１３ａと端子１１３ｃを接続し、制御回路１４から６０ｋＨｚ受信回路１１２ｒに切換えさせる制御信号ＣＴＬ１１３を受信した場合には端子１１３ｂと端子１１３ｃを接続し、４０ｋＨｚ受信回路１１１ｒおよび６０ｋＨｚ受信回路１１２ｒからの受信信号を択一的に、信号Ｓ１１として制御回路１４へ出力する。
【００１５】
なお、日本の標準電波は独立行政法人通信総合研究所（ＣＲＬ）のもとで運用されており、周波数４０ｋＨｚの標準電波を送信する標準電波送信所および周波数６０ｋＨｚの標準電波を送信する標準電波送信所が設けられている。
標準電波信号受信系１１で受信される標準電波は、図４（ａ）に示すような形態で送られてくる。
【００１６】
具体的には、時刻コードは１，０，Ｐの３種類の信号パターンからなり、１ｓｅｃの１信号パターン中の１００％振幅期間幅によって区別され、１，０，Ｐはそれぞれ５００ｍｓ，８００ｍｓ，２００ｍｓとなっている。変調方式は、最大値１００％，最小値１０％の振幅変調である。
【００１７】
そして、受信状態が良好な場合には、標準電波信号受信系１１からは図４（ｂ）に示すように、標準電波信号に応じたパルス信号として信号Ｓ１１が、制御回路１４に出力される。
【００１８】
この信号Ｓ１１は、例えば第１のレベルに相当するハイレベルと、第２のレベルに相当するロウレベルにより構成されている。制御回路１４は、ハイレベル、およびロウレベル、ならびに、ハイレベルからロウレベルへの立下りエッジｅｄ１、およびロウレベルからハイレベルへの立上がりエッジｅｄ２に基づいて、後述するように受信状態の評価処理を行う。エッジｅｄ１およびエッジｅｄ２を区別しない場合には、単にエッジｅｄという。
【００１９】
次に、長波標準電波の送信データについて説明する。
図５は、標準時刻電波信号の時刻コードの一例を示している。図５（ａ）は毎時１５，４５分以外のフォーマット、図５（ｂ）は、毎時１５分，４５分のフォーマットを示す。
送信情報は、分・時・１月１日からの積算日となっている。
時刻データの送信は、１ｂｉｔ／秒で１分間を１フレームとしており、このフレーム内に前述した分・時・１月１日からの積算日の情報がＢＣＤコードで提供されている。また送信されるデータは、０・１の他にＰコードというマーカーが含まれており、このＰコードは、１フレームに数カ所あり、正分（０秒）、９秒、１９秒、２９秒、３９秒、４９秒、５９秒に現れる。このＰコードが続けて現れるのは１フレーム中１回で５９秒、０秒の時だけで、この続けて現れる位置が正分位置となる。つまり分・時データ等の時刻データはこの正分位置を基準としてフレーム中の位置が決まっているためこの正分位置の検出を行わないと時刻データを取り出すことはできない。
【００２０】
時刻修正スイッチ１２は、例えば、出荷時の前の組立工程において時分秒針を取付ける際に、剣付けモードに移行させる際に操作され、信号Ｓ１２を制御回路１４に出力する。制御回路１４は、時刻修正スイッチ１２が操作され信号Ｓ１２が入力されると、剣付けモードに移行する。
時刻修正スイッチ１２は、本発明に係る設定信号出力手段に相当する。
【００２１】
また、剣付けモードでは、制御回路１４は、少なくとも内部時計１４０１の計時時刻を設定し、指針を、内部時計１４０１の計時時刻が設定されたことを示す時刻設定表示位置に設定する。
【００２２】
発振回路１３は、水晶発振器ＣＲＹおよびキャパシタＣ２，Ｃ３により構成され、所定周波数の基本クロックを制御回路１４に供給する。
【００２３】
制御回路１４は、マイクロコンピュータ（１４ａ）、内部時計１４０１、およびメモリ１４０２などを有する。
また、内部時計１４０１は、例えば時カウンタ、分カウンタ、および秒カウンタ等を含む。
【００２４】
メモリ１４０２は、例えば、制御回路１４のワークスペースとして用いられる。例えば、メモリ１４０２はＲＡＭ（Random access memory）等で構成される。
また、制御回路１４に表示モード判別回路（１４ｃ）が設けられ、この表示モード判別回路１４ｃには外部に取り付けられた表示モード設定回路２０２からモード設定の制御信号が供給される。  このように、外部からスイッチなどで種々のモードを切り換えられるようにしてある。詳細については、図６で説明する。
【００２５】
制御回路１４には、電源２００による駆動電力を内部時計１４０１に供給して時刻計時を行わせる一方、後述する時刻表示手段による時刻表示を停止させ、内部時計１４０１の計時時刻が予め設定した時刻になると標準時刻電波信号に応じて時刻修正を行う。
制御回路１４は、表示モード設定回路２０２の設定されたモードに応じて各回路またはシステムを制御する。このモード設定回路については後述する。
【００２６】
また、制御回路１４は、電源２００から電源が供給されると、指針車の原点検出処理を行い、内部時計１４０１で計時される時刻情報に応じた駆動信号ＣＴＬ１およびＣＴＬ２を出力して、指針による時刻表示を行う。
制御回路１４は、指針の位置検出処理は、時分針車および秒針車の位相合わせ処理、秒針の原点検索処理、時分針の原点検索処理を行い、各指針車の位置を検出した後、所定時刻に指針を設定する。
【００２７】
次に、図１に図示した表示モード設定回路２０２について図６を用いて説明する。図６に図示してあるように、表示モード設定回路２０２は、たとえばスイッチ群により構成されている。
【００２８】
スイッチ群１３５０は、たとえば、ユーザにより操作され、操作に応じた信号が制御回路１４で構成される表示モード判別回路１４ｃに出力される。モード判別回路１４ｃでは、表示モードがオンかオフかを判別する。
スイッチ群１３５０は、たとえば、リセットスイッチ１３１０、強制受信スイッチ１３２１、鳴止めスイッチ１３３１、スヌーズスイッチ１３４１、スイッチ群１３５０とを有する。
【００２９】
リセットスイッチ１３１０は、制御回路１４の各種状態を初期状態に戻すときにオンされる。リセットスイッチ１３１０が操作された場合、または、図示しない電池がセットされた場合に、制御回路２０は、各種状態を初期状態に戻し、標準電波信号受信系１１に標準電波信号を強制的に受信させ、受信信号に基づいて計時時刻を修正する。
【００３０】
強制受信スイッチ１３２１は、強制的に標準電波信号を受信して、内部で計時される時刻の修正を行わせるときにオンされる。制御回路１４は、強制受信スイッチが操作された場合には、上述のように、標準電波信号受信系１１に標準電波信号を強制的に受信させ、受信信号に基づいて計時時刻を修正する。
【００３１】
鳴止めスイッチ１３３１は、たとえば、アラーム時刻に報音されるアラーム音の出力を止めるときにオンされる。制御回路１４は、鳴止めスイッチ１３３１が操作された場合には、たとえば、アラーム時刻にスピーカから報音させるアラーム音の出力を停止する。
【００３２】
スヌーズスイッチ１３４１は、たとえば、アラーム時刻に報音されるアラーム音の出力を一旦止め、所定の時間経過後に再び出力させたいときにオンされる。制御回路１４は、スヌーズスイッチ１３４１が操作された場合には、たとえば、アラーム時刻にスピーカから出力させるアラーム音の出力を一旦止め、所定の時間経過後に、再びスピーカからアラーム音を出力させる。
【００３３】
設定スイッチ群１３５０は、たとえば、アラーム時刻を設定する際に操作されるスイッチや、時計表示部のオン・オフ設定スイッチである。設定スイッチ群１３５０は、時計表示部オン・オフスイッチ１３５１などからなる複数の設定スイッチ１３５１〜１３５４を有する。制御回路１４は、設定スイッチ群１３５０が操作された場合には、たとえば、その操作に応じたアラーム時刻を設定し、また工場出荷時に時計表示部を駆動したままにするかあるいは動作停止状態にするかを設定する。この表示モード設定回路２０２に設けた時計表示部のオン・オフのモード設定に関し、外部から手動スイッチで切り換えられるようにするが、ユーザが間違えて容易にスイッチに触れて表示部が動作停止してしまうことがないように構成している。
【００３４】
次に、制御回路１４が表示モード設定により選択された２つのモード、つまり通常モードと小電力モードの場合の動作について説明する。
まず、図１において、表示モード設定回路２０２を通常動作モードに設定した場合の制御回路１４の動作について説明する。
【００３５】
制御回路１４は、電源２００が投入されると、指針車の原点検出処理を行い、内部時計１４０１で計時される時刻情報に応じた駆動信号ＣＴＬ１およびＣＴＬ２を出力して、指針による時刻表示を行う。
制御回路１４は、指針の位置検出処理は、時分針車および秒針車の位相合わせ処理、秒針の原点検索処理、時分針の原点検索処理を行い、各指針車の位置を検出した後、所定時刻に指針を設定する。
【００３６】
位相合わせ処理は、例えば、時分針車に設けられた透光部と、秒針車に設けられた透光部とを、発光素子１４２から出力された光が貫通するような位置にまで、時分針車および秒針車を駆動する。
秒針の原点検索処理は、発光素子１４２から出力された光が、秒針車に設けられた遮光部および透光部により、受光素子１４４に受光される、光のオンオフパターンに基づいて原点が検索される。
時分針の原点検索処理は、後述するように、発光素子１４２から出力された光が、時分針車に設けられた遮光部および透光部により、受光素子１４４に受光される、光のオンオフパターンに基づいて位置が検索される。
【００３７】
制御回路１４は、剣付けモードでは、例えば組み立て工程において、時分秒針を取付けるために、指針それぞれが取り付けられる指針車を０時０分０秒の基準位置にまで回転させて停止させる。その基準位置で時分秒針が０時０分０秒になるように取り付けられる。
例えば、基準位置は、０時００分、４時００分、８時００分に設けられるが、本実施形態では基準位置として０時００分を用いる。
【００３８】
制御回路１４は、剣付けモードでは、例えば長波受信系１１に標準電波信号を受信させ、標準電波信号に基づいて内部時計１４０１の時刻情報が設定される。
また、制御回路１４は、指針が設けられる指針車の指針位置を、後述するように指針車に設けられた複数の基準位置の間に設定する。例えば、時分針車の原点検索処理を所定方向に回転させて行い、基準位置を０時００分とすると、その逆方向の基準位置である８時００分の間に、指針車の指針位置を設定する。
【００３９】
詳細には、上述したように透光部および遮光部が設けられた指針車を回転させ、光検出センサ部１４０により検出される、光のオン／オフパターンに基づいて原点検索処理を行うため、原点検出処理を行うために必要最小限のオン／オフパターンが検出可能な位置に指針を停止しておくことで、外部電源等が投入され初期動作を行う際に、短時間で原点検索処理を行える。
【００４０】
制御回路１４は、所定の時間、例えば本実施形態では８秒間の標準電波の受信信号のサンプリング（例えば３２Ｈｚ）を行い、そのサンプリングの結果に基づいて受信状態を判定する。評価の結果、良好な受信状態であると判別された場合には、その良好な受信状態の標準電波の周波数を標準電波信号受信系１１の受信周波数に設定する。
【００４１】
また、制御回路１４は、良好でない受信状態の場合には、制御信号ＣＴＬ１１３を出力して標準電波信号受信系１１の受信周波数を切換え、６０ｋＨｚの標準電波を受信状態に基いて同様に評価し、以前の受信周波数の標準電波の受信状態を示す評価値と比較し、標準電波信号受信系１１に受信状態が良いほうの受信周波数に設定させる。
制御回路１４は、設定された受信周波数を持って標準電波信号受信系１１で受信された標準電波に含まれる標準時刻信号に応じて、秒同期検出処理および時刻修正処理を行う。
【００４２】
制御回路１４は、その設定された受信周波数で受信された標準電波時刻信号に基いて、時刻化が可能である場合には、発振回路１３による基本クロックに基づいて内部時計１４０１の各種カウンタのカウント制御を行う。
【００４３】
制御回路１４は、受信状態が基準範囲にない場合には、制御信号ＣＴＬ１を出力せずに、ドライブ信号ＤＲ１をドライブ回路１５に出力して、報知手段としての発光素子１６を発光させてユーザに標準電波信号がほとんど受信できない旨を報知させる。
【００４４】
制御回路１４は、受信された標準時刻情報に基づいて、内部時計１４０１の各種時刻カウンタで計時されている時刻情報と標準時刻情報とを比較し、誤差が生じている場合には、その誤差に応じて時刻カウンタを修正し、その修正に応じてモータ１３１に制御信号ＣＴＬ２として、修正のためのパルス信号Ｐを入力して早送り駆動等を行い、指針による時刻表示の修正を行う。
【００４５】
次に、電波修正時計１０がたとえば流通過程にあるような場合、表示モード設定回路２０２を省電力モードに設定したとき、制御回路１４とその周辺回路の動作について説明する。
図６には制御回路１４とその周辺回路について図示してある。制御回路１４には、時計表示制御部１４ｂとモード判別部回路などを有するマイクロコンピュータ１４ａ、内部時計１４０１（図示せず）などで構成されている。制御回路１４を外部から制御する手段として、表示モード設定回路２０２があり、１例としてスイッチ（１３１０〜１３４１、１３５１〜１３５４）などで構成されている。
【００４６】
表示モード設定回路２０２でスイッチ群のスイッチ１３５１をたとえばＯＮ（オン）に設定して、このＯＮ状態を表示モード判別回路１４ｃに供給する。表示モード判別回路１４ｃでは供給された信号を検出して通常モードか省電力モードかを判定する。判定結果が通常モードのときは上述した動作をする。一方、省電力モードと判別された場合、マイクロコンピュータ１４ａなどで構成される時計表示制御部１４ｂで省電力制御信号を発生し、この制御信号を時計表示部２０１に供給することにより、時計表示部２０１の動作を停止する。
時計表示部２０１の構成としては、アナログ電波修正時計の場合、秒針，時分針を駆動するステッピングモータやこれを駆動する駆動回路が含まれる。
時計表示部２０１の具体構成は図１でも説明したように、バッファ回路１７、ドライブ回路１８、秒針用モータ１２１、時分用モータ１３１、光検出センサ１４０、手動修正系１５０で構成されている。
【００４７】
制御回路１４から上述した表示モード判別回路１４ｃで判別された表示モードに応じてた制御信号が出力され、時計表示部２０１の入力に供給される。
一般に時計表示部２０１の消費電流は他の制御回路１４や長波受信回路１１０Ａの消費電流と比べて大きいため、この時計表示部２０１の消費電力を如何に減らすで、電池寿命が大きく左右される。
【００４８】
次に、電波修正時計１０のムーブメントおよび指針位置検出系の具体的な構成について、図２，３、図７〜図１５に関連付けて説明する。
時計本体１００は、図２，３に示すように、互いに対向して接続されて輪郭を形成する下ケース１１１、上ケース１１２、ならびに、下ケース１１１および上ケース１１２で形成される空間内において下ケース１１１と連結した状態で配置される中板１１３を有する。
【００４９】
時計本体１００は、互いに対向して接続されて輪郭を形成する第２ケースとしての下ケース１１１および第１ケースとしての上ケース１１２と、この下ケース１１１および上ケース１１２で形成される空間内のほぼ中央部において下ケース１１１と連結した状態で配置される中板１１３とを備えており、空間内の下ケース１１１、中板１１３、上ケース１１２の所定の位置に対して、第１駆動系（秒針駆動系）１２０、第２駆動系（時分針駆動系）１３０、光検出センサ１４０、手動修正系１５０等が固定あるいは軸支されている。
【００５０】
秒針駆動系１２０および時分針駆動系１３０が本発明に係る時刻表示手段に相当する。
第１駆動系１２０は、図２に示すように、略コ字状のステータ１２１ａ、このステータ１２１ａの一方側の脚片に巻回された駆動コイル１２１ｂ、このステータ１２１ａの他方の磁極間において回動自在に配置されたロータ１２１ｃにより構成された秒針用ステッピングモータ１２１と、ロータ１２１ｃのピニオン１２１ｄに大径歯車１２２ａが噛合した第１伝達歯車（第１検出用歯車）としての第１の５番車１２２と、この第１の５番車１２２の小径歯車１２２ｂに噛合した第２検出用歯車（第１指針車）としての秒針車１２３とにより構成されている。
ここで、秒針用ステッピングモータ１２１は、ステータ１２１ａが中板１１３に載置して固定され、ロータ１２１ｃが中板１１３と上ケース１１２とに軸支されており、制御回路１４の出力制御信号ＣＴＬ１に基づいて、その回転方向、回転角度、および回転速度が制御される。
【００５１】
第１の５番車１２２は、大径歯車１２２ａの歯数が６０個、小径歯車１２２ｂの歯数が１５個に形成され、中板１１３および上ケース１１２に回動自在に軸支され、その大径歯車１２２ａが秒針用ステッピングモータ１２１のロータ１２１ｃ（ピニオン１２１ｄ）と噛合して、ロータ１２１ｃの回転速度を所定速度に減速させる。この第１の５番車１２２には、図９に示すように、秒針車１２３と重なる領域において周方向に等間隔（中心角α１が１２０°）で配置された３個の円形状をなす透孔１２２ｃが形成されている。この透孔１２２ｃは、光検出センサ１４０の検出光を通過させるだけでなく、少なくともその１つは、第１の５番車１２２を組付ける際の位置決め孔（度決め孔）として用いられるものである。
【００５２】
秒針車１２３は、大径歯車１２３ａの歯数が６０個に形成され、その軸部の一端が上ケース１１２に軸支され、中板１１３を下ケース１１１側に貫通したその他端側には秒針軸１２３ｂが圧入されており、この秒針軸１２３ｂは、後述する分針パイプ１３４ｐの内側に挿通されて、その先端に秒針が取り付けられている。この秒針車１２３には、図１２に示すように、回転により第１の５番車１２２と重なる領域において周方向に等間隔（中心角α２が３０°）で配置された１１個の円形状をなす透孔１２３ｃと、一箇所だけピッチの異なる位置決め遮光部１２３ｄ（透孔１２３ｃと透孔１２３ｃとの中心角が６０°）とが形成されている。そして、上記第１の５番車１２２の透孔１２２ｃが位置決め遮光部１２３ｄに対向した後に最初に透孔１２３ｃと対向する時に、秒針が正時を指すように構成されている。
【００５３】
透孔１２３ｃは、光検出センサ１４０の検出光を通過させるだけでなく、少なくともその１つは、秒針車１２３を組付ける際の位置決め孔（度決め孔）として用いられるものである。
また、これらの透孔１２３ｃの内側には、周方向に長尺で回転軸方向に突出する円弧状の付勢ばね１２３ｅが、切り欠き孔１２３ｆにより画定されている。この円弧状付勢ばね１２３ｅは、秒針車１２３をその回転軸方向に付勢するものである。
【００５４】
ここで、位置決め遮光部１２３ｄは、周方向において切り欠き孔１２３ｆから離れた位置、すなわち、２つの切り欠き孔１２３ｆが途切れて離れた領域に形成されている。したがって、切り欠き孔１２３ｆと位置決め遮光部１２３ｄとの距離を十分確保できるため、位置決め遮光部１２３ｄの領域において検出光が切り欠き孔１２３ｆに回り込むようなことはなく、確実にこの位置決め遮光部１２３ｄで検出光を遮ることができる。すなわち、検出光の回り込みによる誤検出を生じ易い切り欠き孔１２３ｆを設けた領域から離れた位置に位置決め遮光部１２３ｄが形成されていることから、この位置決め遮光部１２３ｄを秒針車１２３の回転角度位置の位置決めに用いることで、確実な位置決めを行うことができる。
【００５５】
秒針車１２３においては、図１０に示すように、複数（１１個）の透孔１２３ｃを設ける代わりに、図１１に示すように、位置決め遮光部１２３ｄと径方向において対向する位置にある透孔１２３ｃのみを残して、その他の透孔１２３ｃをそれぞれ切り欠き孔１２３ｇと一体的に開けてもよい。これによれば、検出光の通過を許容する部分において、検出光の通過をより一層確実なものとし、また、秒針車１２３を形成する材料の無駄を低減することができる。
【００５６】
第２駆動系１３０は、図２、図３、および図１２に示すように、略コ字状のステータ１３１ａ、このステータ１３１ａの一方側の脚片に巻回された駆動コイル１３１ｂ、このステータ１３１ａの他方の磁極間において回動自在に配置されたロータ１３１ｃにより構成された時分針用ステッピングモータ１３１とロータ１３１ｃのピニオン１３１ｄに大径歯車１３２ａが噛合した中間歯車としての第２の５番車１３２と、この第２の５番車１３２の小径歯車１３２ｂに大径歯車１３３ａが噛合した第２伝達歯車（第３検出用歯車）としての３番車１３３と、この３番車１３３の小径歯車１３３ｂに大径歯車１３４ａが噛合した第４検出用歯車（第２指針車）としての分針車１３４と、この分針車１３４の小径歯車１３４ｂに大径歯車１３５ａが噛合した中間歯車としての日の裏車１３５と、この日の裏車１３５の小径歯車１３５ｂに噛合した第５検出用歯車（第２指針車）としての時針車１３６とにより構成されている。
ここで、時分針用ステッピングモータ１３１は、ステータ１３１ａが中板１１３に載置して固定され、ロータ１３１ｃが中板１１３と上ケース１１２とに軸支されており、制御回路１４の出力制御信号に基づいて、その回転方向、回転角度、および回転速度が制御される。
【００５７】
第２の５番車１３２は、大径歯車１３２ａの歯数が６０個、小径歯車１３２ｂの歯数が１５個に形成され、中板１１３および上ケース１１２に軸支され、その大径歯車１３２ａが時分針用ステッピングモータ１３１のロータ１３１ｃ（ピニオン１３１ｄ）と噛合して、ロータ１３１ｃの回転速度を所定速度に減速させる。なお、この第２の５番車１３２としては、前述の第１の５番車１２２を流用、すなわち、透孔１２２ｃが設けられたものを用いてもよい。これにより、部品の共用化が行え製品のコストを低減することができる。
【００５８】
３番車１３３は、大径歯車１３３ａの歯数が６０個、小径歯車１３３ｂの歯数が１０個に形成され、軸部の一端が上ケース１１２に軸支され、他端側が中板１１３を貫通した状態で回動自在に配設されており、第２の５番車１３２の回転を減速して分針車１３４に伝達する。また、３番車１３３には、図１２に示すように、回転により秒針車１２３および第１の５番車１２２と重なる領域において周方向に等間隔（中心角α３が３６°）で配置された１０個の円形状をなす透孔１３３ｃが形成されている。この透孔１３３ｃは、光検出センサ１４０の検出光を通過させるだけでなく、少なくともその１つは、３番車１３３を組付ける際の位置決め孔（度決め孔）として用いられるものである。
【００５９】
分針車１３４は、大径歯車１３４ａの歯数が６０個、小径歯車１３４ｂの歯数が１４個に形成され、その中央部には小径歯車１３４ｂが一体的に形成された分針パイプ１３４ｐが、側面視にて略Ｔ字形状をなすように形成されている。そして、分針パイプ１３４ｐの一端部が中板１１３に回動自在に軸支され、他端側の軸部は後述する時針車１３６の時針パイプ１３６ｐの内部に回動自在に挿通されている。また、分針パイプ１３４ｐは、下ケース１１１を貫通して時計の文字盤側に突出しており、その先端には分針が取り付けられている。
【００６０】
また、分針車１３４には、図１３に示すように、回転により秒針車１２３，第１の５番車１２２，３番車１３３と重なる領域において周方向に長尺な３個の円弧状透孔１３４ｃ，１３４ｄ，１３４ｅが形成されている。これら円弧状透孔１３４ｃと円弧状透孔１３４ｄとは、中心角α５で３０°隔てて形成され、円弧状透孔１３４ｄと円弧状透孔１３４ｅとは、中心角α６で３０°隔てて形成され、また、円弧状透孔１３４ｅと円弧状透孔１３４ｃとは、中心角α７で６０°隔てて形成されている。すなわち、円弧状透孔１３４ｅと円弧状透孔１３４ｃとの間に、最も幅の広い遮光部Ａが形成され、円弧状透孔１３４ｃと円弧状透孔１３４ｄとの間および円弧状透孔１３４ｄと円弧状透孔１３４ｅとの間に、上記遮光部Ａよりも幅狭の遮光部Ｂが形成されている。
【００６１】
また、円弧状透孔１３４ｃは、一端側の円形部１３４ｃ１と、他端側から伸びる幅広円弧部１３４ｃ２と、両者を連結する幅狭円弧部１３４ｃ３とにより形成されている。この幅狭円弧部１３４ｃ３により画定される円形部１３４ｃ１は、検出光を通過させるだけでなく、分針車１３４を組み付ける際の位置決め孔（度決め孔）として用いられるものである。
【００６２】
時針車１３６は、大径歯車１３６ａの歯数が４０個に形成され、その中央部に円筒状の時針パイプ１３６ｐが一体的に取り付けられており、この時針パイプ１３６ｐの内部に前述の分針パイプ１３４ｐが挿通されている。そして、時針パイプ１３６ｐは、下ケース１１１に形成された軸受け孔１１１ａに挿通されて回動自在に軸支されており、また、その先端側は下ケース１１１を貫通して時計の文字盤側に突出しており、その先端には時針が取り付けられている。
【００６３】
また、時針車１３６には、図１４に示すように、回転により秒針車１２３，第１の５番車１２２，３番車１３３，分針車１３４と重なる領域において周方向に長尺な３個の円弧状透孔１３６ｃ，１３６ｄ，１３６ｅが形成されている。これら円弧状透孔１３６ｃと円弧状透孔１３６ｄとは、中心角α８で４５°隔てて形成され、円弧状透孔１３６ｄと円弧状透孔１３６ｅとは、中心角α９で６０°隔てて形成され、また、円弧状透孔１３６ｅと円弧状透孔１３６ｃとは、中心角α１０で３０°隔てて形成されており、更に、円弧状透孔１３６ｃ，１３６ｄ，１３６ｅの長さは、中心角β１＋β２，β３，β４がそれぞれ７５°，６０°，９０°となるように設定されている。すなわち、円弧状透孔１３６ｅと円弧状透孔１３６ｃとの間に、最も幅の狭い遮光部Ｃが形成され、円弧状透孔１３６ｃと円弧状透孔１３６ｄとの間に、遮光部Ｃよりも幅の広い遮光部Ｄが形成され、円弧状透孔１３６ｄと円弧状透孔１３６ｅとの間に、遮光部Ｄよりも幅の広い遮光部Ｅが形成されている。
【００６４】
また、円弧状透孔１３６ｃは、一端側から中心角β１で７．５°のところに位置する円形部１３６ｃ１と、他端側から伸びる幅広円弧部１３６ｃ２と、両者を連結すると共に円形部１３６ｃ１の両側に位置する幅狭円弧部１３６ｃ３とにより形成されている。この幅狭円弧部１３６ｃ３により画定される円形部１３６ｃ１は、検出光を通過させるだけでなく、時針車１３６を組み付ける際の位置決め孔（度決め孔）として用いられるものである。
【００６５】
日の裏車１３５は、大径歯車１３５ａの歯数が４２個、小径歯車１３５ｂの歯数が１０個に形成され、下ケース１１１に形成された突部１１１ｂに対して回動自在に軸支されており、大径歯車１３５ａが分針パイプ１３４ｐに形成された小径歯車１３４ｂに噛合し、また、小径歯車１３５ｂが時針車１３６（１３６ａ）に噛合して、分針車１３４の回転を減速して時針車１３６に伝達する。
【００６６】
光検出センサ１４０は、図３に示すように、上ケース１１２の壁面に固定された回路基板１４１に取付けられた発光ダイオードからなる発光素子１４２と、この発光素子１４２に対向するように、下ケース１１１の壁面に固定された回路基板１４３に取付けられたフォトトランジスタからなる受光素子１４４とにより形成されている。
そして、発光素子１４２のアノードは一端がｐｎｐトランジスタＱ２のコレクタに接続されたドライブ回路１８における抵抗素子Ｒ４の他端に接続され、カソードは、接地されると共に、受光素子１４４のエミッタに接続されている。
受光素子１４４のコレクタは、制御回路１４に接続されている。この制御回路１４との接続ラインは、検出信号ＤＴ１の制御回路１４への出力ラインとなっており、この出力ラインは、抵抗素子Ｒ５を介して電源電圧Ｖccの供給ラインに接続されている。
ドライブ回路１８のトランジスタＱ２のエミッタは電源電圧Ｖccの供給ラインに接続され、ベースは抵抗素子Ｒ３を介してドライブ信号ＤＲ２の出力ラインに接続されている。
すなわち、発光素子１４２は、制御回路１４からロウレベルのドライブ信号ＤＲ２が出力されたとき発光するようにドライブ回路１８に接続されている。
【００６７】
また、図２に示すように、平面視にて第１の５番車１２２、秒針車１２３、３番車１３３、分針車１３４、時針車１３６の全てが同時に重なる位置に配置されている。そして、第１の５番車１２２の透孔１２２ｃ、３番車１３３の透孔１３３ｃ、秒針車１２３の透孔１２３ｃ、分針車１３４の透孔１３４ｃ（１３４ｄ、１３４ｅ）、時針車１３６の透孔１３６ｃ（１３６ｄ、１３６ｅ）が重なり合った時に、発光素子１４２から発せられた検出光が受光素子１４４により受光されて、秒針、分針、時針が正時等の位置を指していることを出力するようになっている。
【００６８】
更に、発光素子１４２は、上ケース１１２の外側に開口するように形成された第１配置部としての取付け凹部１１２ｃ内に配置されており、この取付け凹部１１２ｃの底面には、所定径の円形貫通孔１１２ｄが開けられている。この円形貫通孔１１２ｄは、発光素子１４２から発せられる検出光が末広がり状に広がる性質があるため、その広がった部分の光を遮断して収束された光のみを通過させて誤検出を防止できるようにするものである。
同様に、受光素子１４４は、下ケース１１１の外側に開口するように形成された第２配置部としての取付け凹部１１１ｃ内に配置されており、この取付け凹部１１１ｃの底面には、所定径の円形貫通孔１１１ｄが開けられている。この円形貫通孔１１１ｄは、発光素子１４２から発せられ、上記透孔を通過してきた光のみをできるだけ通過させて誤検出を防止できるようにするものである。
【００６９】
第１の５番車１２２、３番車１３３、秒針車１２３、分針車１３４、時針車１３６を取付ける場合は、所定の位置決めピンが、下ケース１１１の円形貫通孔１１１ｄ、位置決めとして用いられるそれぞれの透孔、および上ケース１１２の円形貫通孔１１２ｄを貫くように、順次に組付ける。そして、上ケース１１２および下ケース１１１を接合して一体化した後、位置決めピンを引き抜いて、貫通孔１１２ｄが位置する取付け凹部１１２ｃに発光素子１４２を取付け、また、貫通孔１１１ｄが位置する取付け凹部１１２ｃに受光素子１４４を取付ける。
【００７０】
これにより、貫通孔１１２ｄおよび１１１ｄは完全に塞がれ、上ケース１１２および下ケース１１１により画定される内部空間に外部の光が侵入するのを防止できる。したがって、外部の光が侵入することによる誤検出を防止できると共に、組付け時の位置決め孔と光検出用の透孔とを兼用していることから、これらの孔を別々に設ける場合にくらべて装置の集約化、小型化を行うことができる。
【００７１】
手動修正系１５０は、図２および図３に示すように、上述の分針車１３４の小径歯車１３４ｂおよび時針車１３６の大径歯車１３６ａに噛合する日の裏車１３５と、この日の裏車１３５の大径歯車１３５ａに噛合する歯車１５１ａを有する手動修正軸１５１とにより構成されている。この手動修正軸１５１は、上ケース１１２の外側に位置付けられて利用者が直接指を触れることのできる頭部１５１ｂと、この頭部１５１ｂから伸びて上ケース１１２に形成された開口１１２ｅを貫挿し下ケース１１１に形成された突部１１１ｅに対して軸支された柱状部１５１ｃとからなり、この柱状部１５１ｃの下方領域に歯車１５１ａが形成されている。
【００７２】
手動修正軸１５１は、分針車１３４と同位相で回転するように構成されており、上述の第２駆動系１３０により分針車１３４が駆動されているときには日の裏車１３５を介して分針車１３４と同位相で回転すると共に、第２駆動系１３０の非作動時には、頭部１５１ｂを指で回転させることにより、指針位置を手動修正できるようになっている。
【００７３】
上記のように、秒針車１２３の秒針軸１２３ｂが分針車１３４の分針パイプ１３４ｐに挿通され、分針車１３４の分針パイプ１３４ｐが時針車１３６の時針パイプ１３６ｐに挿通されていることから、秒針車１２３と、分針車１３４と、時針車１３６とは、それぞれの回転中心軸が共通しており、また、時刻表示の際に、秒針が６０秒間に１回転、分針が６０分間に１回転、時針が１２時間に１回転するように駆動される。
【００７４】
分針車１３４の分針パイプ１３４ｐの先端部および時針車１３６の時針パイプ１３６ｐの先端部には、図１５に示すように、径方向に所定幅をなして伸びる位置決めのための第１指標としての溝１３４ｇおよび第２指標としての溝１３６ｇが形成されている。そして、これらの溝１３４ｇおよび溝１３６ｇが、一直線に並んだとき所定の時刻例えば１２時００分を指すように設定されている。
【００７５】
このような位置決め指標を設けたことにより、分針車１３４および時針車１３６を下ケース１１１および上ケース１１２により囲繞して覆ってしまった後においても、溝１３４ｇおよび１３６ｇが一直線に並んでいれば予め設定された概略の時刻を指していることが分かるため、その状態を基に分針および時針を容易に取り付けることができ、その他の位置合わせおよび位置確認工程が不要になり、製造ラインおよび検査ラインでの製造時間および検査時間を短縮することができる。なお、位置決め指標としては、上記の溝に限るものではなく、ポッチ等のマークでもよい。
【００７６】
図１６は、図１に示した電波修正時計１０の動作を説明するためのフローチャートである。図１６を参照しながら、電波修正時計の動作を制御回路１４の動作を中心に説明する。
【００７７】
ステップＳＴ１において、制御回路１４は、初期設定、例えば内部変数等の初期設定を行う。
ステップＳＴ２において、制御回路１４は、通常モードであるか時刻修正モードであるか否かを判別する。例えば、制御回路１４は、後述するように予め設定された修正時刻以外の時や、時刻修正スイッチＳＷ１２１が操作されていないときには、通常モードであると判別する。
通常モード時には、内部時計１４０１は、発振回路１３による信号Ｓ１３に基づいて計時を行い、その計時による時刻情報に基づいて、秒針用モータ１２１および時分針用モータ１３１に通常運針時の駆動（パルス）信号ＣＴＬ１およびＣＴＬ２を出力し輪列を駆動して、指針に現時刻を表示させ（ＳＴ３）、ステップＳＴ２の処理に戻る。
【００７８】
一方、ステップＳＴ２において、制御回路１４は、通常運針でないと判別した場合、詳細には例えば、強制スイッチ１３２１が操作された場合には（ＳＴ４）、ステップＳＴ１１の全コード受信モードに遷移する。
【００７９】
また、ステップＳＴ２，ＳＴ４において強制受信ではなく、予め設定された受信条件を満たすか否か、例えば所定時間、詳細には１２時間以内に全コード受信モードを行ったか否かが判別され、１２時間以内に全コード受信モードを行ったと判別した場合には、ステップＳＴ６〜ＳＴ８の秒受信モードに関する処理を行う。１２時間以内に全コード受信モードを行っていないと判別した場合には、ステップＳＴ１１〜ＳＴ１３の全コード受信モードの処理を行う。
【００８０】
ステップＳＴ６において、制御回路１４は、長波受信回路１１０Ａが受信した標準時刻電波信号から、１秒毎のパルスの立ち上がりまたは立ち下りを検出する。
ステップＳＴ７において、制御回路１４は、予め設定した時間、例えば、誤差の平均値を求めるのに必要なサンプル数を得るまでの時間、詳細には、例えば３０秒程度の時間、長波受信回路１１０Ａが受信した標準時刻電波信号から検出した立ち上がりまたは立ち下りと、内部時計１４０１が計時する秒情報との誤差の平均値を演算する。
この予め設定した時間は、連続した３０秒程度であってもよいし、飛び飛びの不連続な３０秒程度であってもよい。平均値を算出できるようなサンプル数が得られればよい。
【００８１】
ステップＳＴ８において、制御回路１４は、その演算した誤差がゼロとなるように、内部時計１４０１が計時する時刻情報のうち秒情報を修正する。
【００８２】
ステップＳＴ９において、制御回路１４は、例えば上述した誤差の偏差が設定値以上になった場合には、例えば標準電波信号の立ち上がりエッジや立下りエッジの時間が揺らいでいる場合や、外的要因により内部時計１４０１が計時する秒情報が揺らいでいる場合には、正確な秒修正を行うことができないと判断して、ステップＳＴ１１の全コード受信モードに移行する。
【００８３】
また、ステップＳＴ９において、制御回路１４は、誤差の平均が所定値よりも大きい場合、例えば０．５秒以上の場合には、適切に秒修正を行うことができないので、同様にステップＳＴ１１の処理に進む。
【００８４】
一方、ステップＳＴ９において、制御回路１４は、その誤差の偏差が設定値よりも低い場合には、後述するよう内部時計１４０１が計時する時刻情報を修正した場合には、例えば時刻表示手段である秒針用モータ１２１、時分針用モータ１３１、輪列、および指針による表示時刻を修正し（ＳＴ１０）、ステップＳＴ２の処理に戻る。
ステップＳＴ１０の処理において、例えば秒情報の修正の場合には、制御回路１４は、例えば指針の位置検出を行うことなく、秒針用モータ１２１に印加するパルス信号のタイミングを補正することにより、秒表示の修正を行う。
【００８５】
ステップＳＴ１１において、制御回路１４は、全コード受信モード時には、長波受信回路１１０Ａに、所定時間、標準時刻のうち分情報、時情報、日情報、またはうるう秒情報のいずれかに応じて規定された信号を基に変調された標準時刻電波信号を受信させる。
【００８６】
ステップＳＴ１２において、制御回路１４は、長波受信回路１１０Ａが受信した標準時刻電波信号にパルス幅を基にデコード処理を施して、標準時刻電波信号のうち分情報、時情報、日情報、うるう秒情報、サマータイム情報、および定停波情報等に基づいて、内部時計１４０１が計時する時刻情報を修正する。
【００８７】
ステップＳＴ１３において、詳細には制御回路１４は、秒情報受信モード時に処理していない情報、例えば全コード受信モード時に受信した、うるう秒情報や、サマータイム情報等をチェックして、内部時計１４０１による時刻情報を修正し、ステップＳＴ１０の処理に進む。
【００８８】
図１７は、図１に示した電波修正時計１０の指針位置検出処理の動作を示すフローチャートである。図１７を参照しながら、電波修正時計１０の制御回路１４によるステップＳＴ１０の時刻修正処理の一具体例、指針位置検出処理を説明する。
【００８９】
制御回路１４は、指針駆動系を駆動して基準位置検出手段の検出処理に基づいて指針車の基準位置を検出した後、内部時計１４０１による時刻情報に基づいて指針車の指針位置を設定する。
【００９０】
制御回路１４から時分用パルス信号出力パターンがセットされ（ＳＴ１０１）、ドライブ信号ＤＲ２がドライブ回路１８にローレベルで出力される。これにより、トランジスタＱ２がオンし、発光素子１４２、すなわち発光ダイオードから検出光が発せられる。
【００９１】
続いて、制御回路１４から制御信号ＣＴＬ１が出力されて秒針用モータ１２１がパルス駆動され（ＳＴ１０２）、受光素子１４４すなわちフォトトランジスタがオンし、検出信号ＤＴ１がハイレベル（電源電圧Ｖccレベル）からローレベルに切り換わったか否かの判別が行われる（ＳＴ１０３）。
【００９２】
ここで、フォトトランジスタからの検出信号ＤＴ１がハイレベルのままに保持されている場合には、ステップ駆動を行うためにパルス数を加算する度に、フォトトランジスタからの検出信号ＤＴ１がハイレベル（電源電圧Ｖccレベル）からローレベルに切り換わったか否かの判別が行われる（ＳＴ１０４〜ＳＴ１０６）。
そして、パルス数が９に達してもフォトトランジスタからの検出信号ＤＴ１出力がハイレベル（電源電圧Ｖccレベル）からローレベルに切り換わらない場合には、時分針用モータ１３１が１ステップ（パルス）駆動され（ＳＴ１０７）、その後再び秒針用モータ１２１がステップ駆動され（ＳＴ１０２）て、秒針車１２３が回転駆動される。
【００９３】
一方、ステップＳＴ１０３において、フォトトランジスタによる検出信号ＤＴ１がハイレベルからローレベルに切り換わったと判別されると、秒針車１２３が早送りされ（ＳＴ１０８）、制御回路１４に予め記憶された出力パターンとの比較が行われる（ＳＴ１０９）。
比較の結果、得られた出力パターンと記憶された出力パターンとが適合しない場合は、ステップＳＴ１０８に戻り、再び秒針車１２３が早送りされる。
【００９４】
一方、得られた出力パターンと記憶された出力パターンとが適合した場合には、その時点（５ステップ目でもフォトトランジスタにより検出信号ＤＴ１のレベルがローレベルに切り換わらない場合において次にフォトトランジスタの出力がローレベルに切り換わった時点）で、制御信号ＣＴＬ１の出力が停止されて、秒針車１２３の回路駆動が停止される。そして、秒針車１２３が帰零位置で停止する（ＳＴ１１０）。このとき、秒針は所定時刻例えば正時（０秒）の位置に修正され、秒針の原点検索処理が終了する。
【００９５】
続いて、制御回路１４から制御信号ＣＴＬ２が出力されて時分針用モータ１３１のみが所定の出力周波数でパルス駆動されて分針車１３４が早送りされる（ＳＴ１１１）。
【００９６】
そして、フォトトランジスタからの出力パターンと制御回路１４に予め記憶された出力パターンとの比較が行われる（ＳＴ１１２）。
比較の結果、得られた出力パターンと記憶された出力パターンとが適合しない場合は、ステップＳＴ１１１の処理に戻り、再び分針車１３４が早送りされる。
【００９７】
一方、ステップＳＴ１１２の比較の結果、得られた出力パターンと記憶された出力パターンとが適合した場合は、その時点で、制御信号ＣＴＬ２の出力が停止され、時分針用モータ１３１が停止されて、分針車１３４および時針車１３６の駆動が停止される（ＳＴ１１３）。
【００９８】
ここで、出力パターンと予め記憶された出力パターンとの比較による時分針車の位置検出処理は、３種類のパターンのいずれかに合わせることにより行われる。
【００９９】
図１８は、図１に示した電波修正時計１０の検出光の出力パターンを説明するための図である。
すなわち、分針車１３４によるフォトトランジスタの出力パターンは、図１８（ａ）に示すように、遮光部が作用するオフの幅として、２つの幅狭のＢ部と１つの幅広のＡ部とが交互に現れるようなパターンとなり、また、時針車１３６によるフォトトランジスタの出力パターンは、図１８（ｂ）に示すように、遮光部が作用するオフの幅が３種類のＤ部、Ｅ部、Ｃ部が所定間隔をおいて交互に現れるようなパターンとなり、両者を合成した出力パターンは、図１８（ｃ）に示すように、Ｄ部，Ｂ部およびＡ部が組み合わされたパターンと、Ｅ部，Ｂ部およびＡ部が組み合わされたパターンと、Ｃ部，Ｂ部およびＡ部が組み合わされたパターンの３種類が所定の間隔をおいて現れるパターンとなる。
なお、図１８に示すパターンのうちオンとなるパターンの部分は、実際には３番車１３３の遮光部によりオフとなる部分があるので、歯抜け状のパターンとなっている。
【０１００】
また、例えば分針車１３４および時針車１３６の基準位置として、図１８に示すように、１２時００分、４時００分、および８時００分の位置に設定されている。
【０１０１】
Ｄ部，Ｂ部およびＡ部の組み合わせからなるパターンが確認されたときを例えば４時００分、Ｅ部，Ｂ部およびＡ部の組み合わせからなるパターンが確認されたときをたとえば８時００分、Ｃ部，Ｂ部およびＡ部の組み合わせからなるパターンが確認されたときを、たとえば１２時００分として予め設定しておけば、これらのパターンのいずれかを検出したときに、時分針用モータ１３１を停止させることで、分針車１３４および時針車１３６すなわち分針および時針を所定の時刻に時刻修正することができる。
【０１０２】
そして、時分針用モータ１３１を停止させた後、制御回路１４によるドライブ信号ＤＲ２がハイレベルに切り換えられる。
これにより、ドライブ回路１８のトランジスタＱ２がオフし、発光ダイオードの発光が停止され（ＳＴ１１４）、時刻修正動作を終了する。
【０１０３】
また、剣付けモードの際に、時分針車の原点検索処理が短くなるような出荷位置ＴＳ、本実施形態では１０時３０分に設定する場合を図１７を参照しながら説明する。
例えばユーザが外部電源を投入すると、制御回路１４は、位相合わせ処理、秒針原点検索処理、分針原点検索処理、および時刻合わせ処理を行う。出荷位置ＴＳとして１０時３０分に設定した場合、図１７に示したように、出荷位置ＴＳから秒針車および時分針車を駆動させて検出光を貫通させた後、時分針を止めて秒針原点検索を行う。その後時分針車を回転させて、光センサ部１４０でＣ部を検出することで、略１２時の位置であることを検出し、Ｂ部およびＡ部を検出した時点で停止させることにより、時分針が所定の基準位置１２時００分に設定される。
【０１０４】
例えば、この１０時３０分の位置は、時分針車を基準位置に設定する際に原点検索処理を行う際に、参照される必要最小限必要なオンオフパターンを検出する位置である。この位置に出荷時の指針を設定することにより、原点検索処理の時間が最も短い。
【０１０５】
次に、図１と図６に示した、表示モード設定回路２０２、制御回路１４、時計（時刻）表示部２０１の動作について、説明する。
【０１０６】
図１９，２０は、図１，６に示した電波修正時計１０の動作を説明するためのフローチャートである。図１９は通常モード時、図２０は省電力モード時の動作を説明するためのフローチャートである。図１９，２０を参照しながら、電波修正時計１０の動作、例えば工場出荷時に電波修正時計１０の外部に備え付けてあるスイッチ（表示モード）を切り換えて選択した場合の動作を説明する。
【０１０７】
ステップＳＴ３０１において、電源２００をオンさせる。この電池は一般に、工場出荷時に電波修正時計１０に装着され、また内部電池のみあるいはさらに外部電池を追加したものでも良い（ＳＴ３０１）。
表示モード設定回路２０２のスイッチ群の時刻表示オン・オフスイッチ１３５１をオンにし、スイッチオン時の電圧信号が表示モード判別回路１４ｃに供給される。このオン時の信号をたとえば省電力モードとして制御回路１４で信号処理された後、時計表示部２０１を制御する。
一方時刻表示オン・オフスイッチ１３５１をオフにし、このときの電圧信号を表示モード判別回路１４ｃに供給し、制御回路１４で信号処理されて、通常モードの制御信号として、上述の時計表示部２０１を通常動作させる。（ＳＴ３０２，ＳＴ３０３）。
ステップ３０３（ＳＴ３０３）でモード判別され通常モードと判別された時はステップ３１０（ＳＴ３１０）に移行する。一方省電力モードと判別されたときステップ３１９へ移行する。（ＳＴ３１９）
【０１０８】
制御回路１４は、通常モード時には電源２００から、電力を制御回路１４や標準電波受信系１１以外にも、時刻表示部に供給している。
【０１０９】
ステップＳＴ３１１において、制御回路１４は、駆動信号ＣＴＬ１およびＣＴＬ２を駆動して、秒針用モータ１２１および時分針用モータ１３１を駆動して、上述した原点検索動作を行う。
ステップＳＴ３１２において、制御回路１４は、標準電波受信系１１に標準電波信号を受信させ、標準電波信号が正常に行われた場合には（ＳＴ３１３）、内部時計１４０１で計時される計時時刻を修正し（ＳＴ３１４）、受信状態が悪い場合には内部時計１４０１の時刻情報の修正を行わずに、内部時計１４０１による時刻情報に基づいて、駆動信号ＣＴＬ１およびＣＴＬ２を駆動して、指針による時刻表示を行う（ＳＴ３１５）。
【０１１０】
ステップＳＴ３１６において、例えば制御回路１４では、内部時計１４０１が計時する計時時刻が、予め設定された時刻であるか否かが判別される。
制御回路１４では、設定時刻であると判別されると、通常の時刻修正処理、つまり標準電波受信系１１に標準時刻電波信号を受信させ、受信した標準時刻電波信号に応じて内部時計１４０１の時刻修正を行い、その内部時計１４０１の時刻情報に基づいて、駆動信号ＣＴＬ１およびＣＴＬ２を駆動して、指針による時刻表示の修正を行い、動作継続し、次の電波受信まで待機する（ＳＴ３１７）。
【０１１１】
一方、ステップ３０３で省電力モードと判定され、省電力モードＳＴ３１９に移行した場合、図１，６に示すように、制御回路１４は、時計（時刻）表示部２０１に構成された秒針駆動系と時分駆動系を停止する。
このように、時計表示部２０１は動作を停止しているが、それ以外の受信系、発振回路１３、制御回路１４などは電源が供給され続けているので動作している。すなわち、電波修正時計１０の計時動作は常時行われている。
【０１１２】
ステップＳＴ３２１において、例えば制御回路１４では、内部時計１４０１が計時する計時時刻が、予め設定された時刻であるか否かが判別される。
制御回路１４では、設定時刻であると判別されると、通常の時刻修正処理、つまり標準電波受信系１１に標準時刻電波信号を受信させ、受信した標準時刻電波信号に応じて内部時計１４０１の時刻修正を行い、その内部時計１４０１の時刻情報に基づいて、駆動信号ＣＴＬ１およびＣＴＬ２を駆動して、指針による時刻表示の修正を行い（ＳＴ３２２）、待機モードに移行し（ＳＴ３２３）、その後ステップＳＴ３０２のモード設定に戻る。
【０１１３】
以上述べたように、モード設定により、時計表示部２０１を非使用時において動作停止し、使用時に時計表示部２０１を動作させ、電池の消費電流を削減させ寿命を延ばすことができる。
たとえば、一般的なアナログ電波修正時計１０において、時計表示部２０１の消費電流源５０ｕＡ、長波受信回路１１０Ａの消費電流を２ｕＡ、さらにマイクロコンピュータなどを含む制御回路１４の消費電流を３ｕＡとすると、合計の消費電流５５ｕＡのうち、時計表示部２０１を除いた消費電流は１０％以下となっている。したがって、時計表示部２０１の消費電流を削減すると電源２００を構成する電池の寿命を延ばすことができる。
いま、１０年寿命の電波修正時計１０の例を示す。装着された電池の容量は５０００ｍＡとし、通常状態の時計表示部を動作させた通常モードで出荷すると、電池の容量５０００ｍＡは時計の電池寿命として、１０．３年が予測される。上述した時計電池２００の総消費電流は４８５ｍＡＨ／年となり、この１０．３年分のうち０．３年分は１４５．６３ｍＡＨとなる。
【０１１４】
上述の省電力モードに設定し、時計表示部２０１を停止させた結果、１年間では４３．８ｍＡＨの消費が削減さる。これから３．３２年分の表示停止期間分の消費電流が得られる。
したがって、工場出荷から長期間未使用でも従来に比べて時計の使用期間をたとえば３年以上大幅に伸ばすことができる。
また、今まで、内部電池のみについて主に説明してきたが、これ以外に、ソーラー式や発電式の２次電池を使った時計においても、近年の大容量の電池開発や、電池寿命も長期化により、本技術が充分使用できる。とくに、操作性の良くない小型時計において、本技術が発揮できる。
【０１１５】
なお、本発明は本実施形態に限られるものではなく、任意好適な種々の変更が可能である。
本実施系形態では、時刻表示回路（手段）として、歯車等による指針駆動系を有する電波修正時計を説明したが、この形態に限られるものではない。例えば、液晶やＬＥＤにより時刻表示を行う時刻表示手段を有してもよい。この場合には、外部電源供給時に短時間に内部時計が計時する正確な計時時刻に応じた時刻表示を行うことができる。
【産業上の利用可能性】
【０１１６】
表示モード設定し、設定モードに応じて電池駆動による表示部の動作を切り換え制御する製品に適用できる。
【図面の簡単な説明】
【０１１７】
【図１】本発明に係る電波修正時計の一実施形態の電気的な機能ブロック図である。
【図２】図１に示した電波修正時計の構成図である。
【図３】図２に示した電波修正時計の断面の拡大図である。
【図４】本発明に係る制御回路における電波受信状態を説明するための図である。
【図５】標準時刻電波信号の時刻コードの一例を示している。（ａ）は毎時１５，４５分以外のフォーマット、（ｂ）は毎時１５分，４５分のフォーマットを示す。
【図６】図１に示す電波修正時計のモード設定回路の一具体例を示す図である。
【図７】電波修正時計の一部である秒針を駆動する第１駆動系を示す平面図である。
【図８】電波修正時計の一部である分針および時針を駆動する第２駆動系を示す平面図である。
【図９】秒針を駆動する第１駆動系の一部をなす第１の５番車を示す平面図である。
【図１０】秒針を駆動する第１駆動系の一部をなす秒針車を示す平面図である。
【図１１】秒針を駆動する第１駆動系の一部をなす秒針車の他の例を示す平面図である。
【図１２】分針および時針を駆動する第２駆動系の一部をなす３番車を示す平面図である。
【図１３】分針および時針を駆動する第２駆動系の一部をなす分針車を示す平面図である。
【図１４】分針および時針を駆動する第２駆動系の一部をなす時針車を示す平面図である。
【図１５】分針パイプおよび時針パイプの先端部を示す端面図である。
【図１６】図１に示した電波修正時計の動作を説明するためのフローチャートである        。
【図１７】図１に示した電波修正時計の指針位置検出処理の動作を示すフローチャートである。
【図１８】図１に示した電波修正時計の検出光パターンを説明するための図である。
【図１９】図１に示した電波修正と形成の動作モードを説明するためのフローチャートである。
【図２０】図１に示した電波修正と形成の動作モードを説明するためのフローチャートである。
【符号の説明】
【０１１８】
１…電波修正時計、１１…標準電波受信系、１１ａ…受信アンテナ、１２…スイッチ、１３…発振回路、１４…制御回路、１４ｂ…時計表示制御部、１４ｃ…表示モード判別回路、１５…ドライブ回路、１６…発光素子、１７…バッファ回路、１００…時計本体、１１０Ａ…長波受信回路、１１１ｒ…４０ｋＨｚ受信回路、１１２ｒ…６０ｋＨｚ受信回路、１１１…下ケース、１１２…上ケース、１１３…中板、１２０…第１駆動系（秒針駆動系）、１２１…秒針用モータ（第一駆動源）、１２２…第１の５番車（第一伝達歯車、第一検出用歯車）、１２２ｃ…透孔、１２３…秒針車（第２検出用歯車、第一指針車）、１２３ｃ…透孔、１２３ｄ…位置決め遮光部、１２３ｅ…付勢ばね、１２３ｆ…切り欠き孔、１２３ｇ…切り欠き孔、１３０…第２駆動系（時分針駆動系）、１３１…時分針用モータ（第２駆動源）、１３２…第２の５番車、１３３ｃ…透孔、１３４…分針車（第４検出用歯車、第２指針車）、１３４ｃ…円弧状透孔、１３４ｄ…円弧状透孔、１３４ｅ…円弧状透孔、１３４ｇ…溝（第１指標）、１３４ｐ…分針パイプ、１３５…日の裏車、１３６…時針車（第５検出用歯車、第２指針車）、１３６ｃ…円弧状透孔、１３６ｄ…円弧状透孔、１３６ｅ…円弧状透孔、１３６ｇ…溝（第２指標）、１３６ｐ…時針パイプ、１４０…光検出センサ、１４２…発光素子、１４３…回路基板、１４４…受光素子、１５０…手動修正系、１５１…手動修正軸、１５１ｂ…頭部、２００…電源２０１…時計表示部、２０２…表示モード設定回路、１４０１…内部時計、１４０２…メモリ。
【図１】
2006003308.tif 000003
【図２】
2006003308.tif 000004
【図３】
2006003308.tif 000005
【図４】
2006003308.tif 000006
【図５】
2006003308.tif 000007
【図６】
2006003308.tif 000008
【図７】
2006003308.tif 000009
【図８】
2006003308.tif 000010
【図９】
2006003308.tif 000011
【図１０】
2006003308.tif 000012
【図１１】
2006003308.tif 000013
【図１２】
2006003308.tif 000014
【図１３】
2006003308.tif 000015
【図１４】
2006003308.tif 000016
【図１５】
2006003308.tif 000017
【図１６】
2006003308.tif 000018
【図１７】
2006003308.tif 000019
【図１８】
2006003308.tif 000020
【図１９】
2006003308.tif 000021
【図２０】
2006003308.tif 000022